(57)【要約】【課題】  デジタルビデオカメラにおいてレンズとレンズフードのいかなる組み合わせでもレンズフードの映り込みを防止し、的確な状態で撮影可能な撮像装置を提供すること。【解決手段】  レンズへ装備するレンズフードと、レンズとレンズフードに対して通信する手段と、レンズフードの遮光角度情報と、レンズの最大ワイド角情報とを備え、レンズとレンズフードの組み合わせによって、どの角度でレンズフードが映ってしまうか計算する手段を有すると共にユーザーに対してレンズフードの映り込みを警告する手段を有する撮像装置とする。【選択図】  図１
2009145415.tif 000002
【特許請求の範囲】
【請求項１】
レンズへ装備するレンズフードと、
レンズとレンズフードに対して通信する手段と、
レンズフードの遮光角度情報と、
レンズの最大ワイド角情報とを備え、
レンズとレンズフードの組み合わせによって、
どの角度でレンズフードが映ってしまうか計算する手段を有すると共にユーザーに対してレンズフードの映り込みを警告する手段を有することを特徴とする撮像装置。
【請求項２】
前記レンズに対してズーム画角を制限する手段を有することを特徴とする請求項１に記載の撮像装置。
【発明の詳細な説明】
【技術分野】
【０００１】
本発明は撮像装置における撮影環境の最適化に関する。
【背景技術】
【０００２】
従来のデジタルビデオカメラにおいて屋外で撮影を行う際には、太陽等の光源からの直接光がレンズ内へ入ることでゴースト等の現象が発生してしまうため直接光がレンズ内部に入らないようにレンズフードを使用して撮影を行う。
【０００３】
その時にズームレンズのワイド角とレンズフードの遮光角度によっては、ズームレンズの画角をワイドにした場合に画面周辺にレンズフードが映ってしまう場合がある。
【０００４】
また、レンズフードを認識することは出来てもズーム角度を制限することは出来なかった。（特許文献１）
【特許文献１】特開平０６−０６７２７８号公報
【発明の開示】
【発明が解決しようとする課題】
【０００５】
上記従来の背景技術では屋外等の強い直接光源が存在する場所にて撮影する際にはレンズ内へ直接光が入らないようにレンズにレンズフードを装着するが、レンズのワイド端へズームするとレンズフードが映ってしまう可能性がある。
【０００６】
また、ワイド端側でレンズフードが映ってしまうと判っている場合でも、実際にどこまでワイド側へズームするとレンズフードが映ってしまうかが判らず、撮影時にワイド側を使った撮影が困難になるという課題があった。
【０００７】
本発明はデジタルビデオカメラにおいてレンズとレンズフードのいかなる組み合わせでもレンズフードの映り込みを防止し、的確な状態で撮影可能な撮像装置を提供することを目的とする。
【課題を解決するための手段】
【０００８】
本発明のデジタルビデオカメラは、
レンズへ装備するレンズフードと、
レンズとレンズフードに対して通信する手段と、
レンズフードの遮光角度情報と、
レンズの最大ワイド角情報とを備え、
レンズとレンズフードの組み合わせによって、どの角度でレンズフードが映ってしまうか計算する手段を有すると共にユーザーに対してレンズフードの映り込みを警告する手段を有するデジタルビデオカメラである。
【０００９】
又、本発明のデジタルビデオカメラは、レンズに対してズーム画角を制限する手段を有するデジタルビデオカメラでもある。
【００１０】
以上の事により、レンズとレンズフードのいかなる組み合わせでもレンズフードの映り込みを防止することが可能となり、的確な状態で撮影可能な撮像装置（デジタルビデオカメラ）を提供することが出来る。
【発明の効果】
【００１１】
本願に記載した発明によればユーザーに対してレンズフードの映り込みを警告することにより、ユーザーがレンズフードを映り込ませる前に気付くことが可能になり、レンズに対してズーム画角を制限することにより、
ユーザーがレンズフードの映り込みを意識する必要なく撮影を行うことが可能になり、ユーザーに有益なデジタルビデオカメラを構築することが可能となる。
【発明を実施するための最良の形態】
【００１２】
次に、本発明の詳細を実施例の記述に従って説明する。
【実施例１】
【００１３】
図１は本発明の請求項１の実施形態を最もよく表す図面であり、同図において１は望遠レンズ用レンズフードであり、２のズームレンズへの光の差込みを効果的に防ぐがワイドズームレンズに付けた場合にはワイド側にズーム制限がかかる。
【００１４】
３はワイドレンズ用レンズフードであり、２のズームレンズでのワイド側のズーム制限は付きにくいが、光の差込みが起こりやすい。
【００１５】
４はレンズフードの光入射角であり、この角度よりも光源が内側に来ると光がレンズ内に差込んでしまう。
【００１６】
また、図２は本発明の請求項１のフローチャートを最もよく表す図面であり、１１はズームレバーへの入力確認であり、ユーザーがズームレバーを操作することである。
【００１７】
１２はズームレバーへの入力がTele側かWide側かの判断であり、ズームレバーの入力がTele側だと１３へと分岐し、Wide側だと１４へと分岐する。
【００１８】
１３はズーム動作Tele方向であり、ズームレンズを望遠方向へとズーム動作させる。
【００１９】
１４は現在のズーム位置から現在の画角を算出であり、ズームレンズのズーム位置から現在のレンズの画角を求めることである。１５はレンズフードの最大画角が現在の画角より大きいかの判断であり、１４での現在の画角とレンズフードの画角を比較して判断することであり、レンズフードの最大画角が現在の画角より大きければ１６へと分岐し、そうでなければ１７へと分岐する。
【００２０】
１６はズーム動作Wide方向であり、ズームレンズをワイド方向へとズーム動作させる。
【００２１】
１７はズーム警告表示であり、ユーザーに対して３２にて警告表示を行うものである。
【００２２】
また、図４も本発明の請求項１の実施形態を最もよく表す図面であり、図１、図２の構成を説明する図である。
【００２３】
３０はデジタルテープレコーダーであり、３１のデジタルシグナルプロセッサーから映像データを受け取りテープメディアに記録し、また３３のマイコンと通信を行い制御される。
【００２４】
３１はデジタルシグナルプロセッサーであり３３と通信を行い、３３からのコマンドによって３４からの映像データの処理をおこない、３２のLCDパネル画面に対して映像信号を出力し映像の表示を行なったり、テープ撮影モード時には３０に対して映像データを記録させるたり、３６に対してズーム駆動させたりをする。
【００２５】
３２はＬＣＤパネル画面であり、３３と通信を行い画面に３１からの映像信号を表示したり、ズーム警告を表示したりする。
【００２６】
３３はマイコンであり、３０と通信を行い映像の記録を行い、３１に対して通信を行い映像データ処理を行わせて、３２に対して通信を行い映像を表示させたりする。
【００２７】
３４はＣＣＤカメラであり、撮影時に撮影した映像データを３１へと送り出す。
【００２８】
３５はフラッシュメモリであり、３１によって３５に記録されているプログラムが読み出される。
【００２９】
３６はズームレンズであり、３１によってズーム駆動することにより撮影映像をズームさせることができる。
【００３０】
３７はレンズフードであり、３７や３６の最大画角情報が３３によって読み出される。
【００３１】
３８はズームレバーでありユーザーのズーム操作が３３によって読み取られる。
【００３２】
３９は電源であり３３によって電力を供給したり切断したりする。
【００３３】
４０はバッテリーであり３９に対して電力の供給を行う。
【００３４】
以上の構成をなすことにより、レンズフードの映り込みを警告することが可能になり撮影ミスを防止した状態で撮影出来るデジタルビデオカメラを提供することが可能となる。
【実施例２】
【００３５】
図１は本発明の請求項２の実施形態を最もよく表す図面であり、同図において１は望遠レンズ用レンズフードであり、２のズームレンズへの光の差込みを効果的に防ぐがワイドズームレンズに付けた場合にはワイド側にズーム制限がかかる。
【００３６】
３はワイドレンズ用レンズフードであり、２のズームレンズでのワイド側のズーム制限は付きにくいが、光の差込みが起こりやすい。
【００３７】
４はレンズフードの光入射角であり、この角度よりも光源が内側に来ると光がレンズ内に差込んでしまう。
【００３８】
また、図３は本発明の請求項２のフローチャートを最もよく表す図面であり、２１はズームレバーへの入力確認であり、ユーザーがズームレバーを操作することである。
【００３９】
２２はズームレバーへの入力がTele側かWide側かの判断であり、ズームレバーの入力がTele側だと２３へと分岐し、Wide側だと２４へと分岐する。
【００４０】
２３はズーム動作Tele方向であり、ズームレンズを望遠方向へとズーム動作させる。
【００４１】
２４は現在のズーム位置から現在の画角を算出であり、ズームレンズのズーム位置から現在のレンズの画角を求めることである。２５はレンズフードの最大画角が現在の画角より大きいかの判断であり、２４での現在の画角とレンズフードの画角を比較して判断することであり、レンズフードの最大画角が現在の画角より大きければ２６へと分岐し、そうでなければズーム動作させずに２１へと分岐する。
【００４２】
２６はズーム動作Wide方向であり、ズームレンズをワイド方向へとズーム動作させる。
【００４３】
また、図４も本発明の請求項２の実施形態を最もよく表す図面であり、図１、図３の構成を説明する図である。
【００４４】
３０はデジタルテープレコーダーであり、３１のデジタルシグナルプロセッサーから映像データを受け取りテープメディアに記録し、また３３のマイコンと通信を行い制御される。
【００４５】
３１はデジタルシグナルプロセッサーであり３３と通信を行い、３３からのコマンドによって３４からの映像データの処理をおこない、３２のLCDパネル画面に対して映像信号を出力し映像の表示を行なったり、テープ撮影モード時には３０に対して映像データを記録させるたり、３６に対してズーム駆動させたりをする。
【００４６】
３２はＬＣＤパネル画面であり、３３と通信を行い画面に３１からの映像信号を表示する。
【００４７】
３３はマイコンであり、３０と通信を行い映像の記録を行い、３１に対して通信を行い映像データ処理を行わせて、３２に対して通信を行い映像を表示させたりする。
【００４８】
３４はＣＣＤカメラであり、撮影時に撮影した映像データを３１へと送り出す。
【００４９】
３５はフラッシュメモリであり、３１によって３５に記録されているプログラムが読み出される。
【００５０】
３６はズームレンズであり、３１によってズーム駆動することにより撮影映像をズームさせることができる。
【００５１】
３７はレンズフードであり、３７や３６の最大画角情報が３３によって読み出される。
【００５２】
３８はズームレバーでありユーザーのズーム操作が３３によって読み取られる。
【００５３】
３９は電源であり３３によって電力を供給したり切断したりする。
【００５４】
４０はバッテリーであり３９に対して電力の供給を行う。
【００５５】
以上の構成をなすことにより、レンズフードの映り込みを防止することが可能になり撮影ミスの無い状態で撮影出来るデジタルビデオカメラを提供することが可能となる。
【図面の簡単な説明】
【００５６】
【図１】本発明の請求項１および請求項２の実施形態の概観を説明する図である。
【図２】本発明の請求項１の実施形態のフローチャートを説明する図である。
【図３】本発明の請求項２の実施形態のフローチャートを説明する図である。
【図４】本発明の請求項１および請求項２の実施形態の構成を説明する図である。
【符号の説明】
【００５７】
１  望遠レンズ用レンズフード
２  ズームレンズ
３  ワイドレンズ用レンズフード
４  レンズフードの光入射角
１１  ズームレバーへの入力確認
１２  ズームレバーへの入力がTele側かWide側かの判断
１３  ズーム動作Tele方向
１４  現在のズーム位置から現在の画角を算出
１５  レンズフードの最大画角が現在の画角より大きいかの判断
１６  ズーム動作Wide方向
１７  ズーム警告表示
２１  ズームレバーへの入力確認
２２  ズームレバーへの入力がTele側かWide側かの判断
２３  ズーム動作Tele方向
２４  現在のズーム位置から現在の画角を算出
２５  レンズフードの最大画角が現在の画角より大きいかの判断
２６  ズーム動作Wide方向
３０  デジタルビデオテープレコーダー
３１  デジタルシグナルプロセッサー
３２  表示器
３３  マイコン
３４  ＣＣＤカメラ
３５  フラッシュメモリー
３６  ズームレンズ
３７  レンズフード
３８  ズームレバー
３９  電源
４０  バッテリー
【図１】
2009145415.tif 000003
【図２】
2009145415.tif 000004
【図３】
2009145415.tif 000005
【図４】
2009145415.tif 000006